(57)【要約】【課題】  信号設定が容易な伝送装置、伝送システム、及び伝送方法を提供する。【解決手段】  主信号を受信する伝送装置において、前記主信号の送信元の他の伝送装置から、前記主信号の設定情報を含む制御信号を受信する受信部と、受信した前記主信号のフレームを処理するフレーム処理部と、前記設定情報に従って前記フレーム処理部を設定する制御部とを有する。【選択図】図５
2015002474.tif 000002
【特許請求の範囲】
【請求項１】
主信号を受信する伝送装置において、
前記主信号の送信元の他の伝送装置から、前記主信号の設定情報を含む制御信号を受信する受信部と、
受信した前記主信号のフレームを処理するフレーム処理部と、
前記設定情報に従って前記フレーム処理部を設定する制御部とを有することを特徴とする伝送装置。
【請求項２】
前記制御信号は、前記主信号に重畳されていることを特徴とする請求項１に記載の伝送装置。
【請求項３】
前記主信号に含まれる誤り訂正符号に基づいて、前記主信号のデータの誤り訂正を行う誤り訂正部を、さらに含み、
前記制御信号は、前記誤り訂正符号の種類を示す符号種別情報を含み、
前記制御部は、前記符号種別情報に従って前記誤り訂正部を設定することを特徴とする請求項１または２に記載の伝送装置。
【請求項４】
波長が可変である参照光を出力する光源を、さらに有し、
前記受信部は、前記参照光を用いて、前記制御信号を検波し、
前記制御部は、前記制御信号のパワーが所定値以上となるように、前記参照光の波長を制御することを特徴とする請求項１または２に記載の伝送装置。
【請求項５】
主信号を送信する伝送装置において、
前記主信号のフレームを生成するフレーム生成部と、
前記主信号の設定情報に従って前記フレーム生成部を設定し、前記設定情報を含む制御信号を生成する制御部と、
前記制御信号を、前記主信号の送信先の他の伝送装置に送信する送信部とを有することを特徴とする伝送装置。
【請求項６】
主信号を送信する第１伝送装置と、
前記主信号を受信する第２伝送装置とを有し、
前記第１伝送装置は、
前記主信号のフレームを生成するフレーム生成部と、
前記主信号の設定情報に従って前記フレーム生成部を設定し、前記設定情報を含む制御信号を生成する第１制御部と、
前記制御信号を、前記第２伝送装置に送信する送信部とを有し、
前記第２伝送装置は、
前記第１伝送装置から、前記制御信号を受信する受信部と、
受信した前記主信号のフレームを処理するフレーム処理部と、
前記設定情報に従って前記フレーム処理部を設定する第２制御部とを有することを特徴とする伝送システム。
【請求項７】
主信号のフレームを生成するフレーム生成部を有する第１伝送装置から、前記主信号のフレームを処理するフレーム処理部を有する第２伝送装置に、前記主信号を伝送する伝送方法において、
前記第１伝送装置は、前記フレーム生成部を前記主信号の設定情報に従って設定し、前記第２伝送装置に、前記設定情報を含む制御信号を送信し、
前記第２伝送装置は、前記制御信号を受信し、前記フレーム処理部を、前記制御信号に含まれる前記設定情報に従って設定することを特徴とする伝送方法。
【発明の詳細な説明】
【技術分野】
【０００１】
本件は、伝送装置、伝送システム、及び伝送方法に関する。
【背景技術】
【０００２】
通信需要の増加に伴い、ネットワーク内で伝送される主信号の種類が増加している。例えば基幹系ネットワークでは、従来のＳＯＮＥＴ（Synchronous Optical Network）／ＳＤＨ（Synchronous Digital Hierarchy）などの信号に加え、イーサネット（登録商標、以下同様）などの信号が伝送される。また、ＩＴＵ−Ｔ（International Telecommunication Union Telecommunication Standardization Sector（国際電気通信連合））勧告Ｇ．７０９が規定されたことにより、ＯＴＮ（Optical Transport Network）信号も普及しつつある。
【０００３】
各種の信号は、伝送速度のバリエーションを有する。例えば、ＳＯＮＥＴは、ＳＴＳ（Synchronous Transfer Signal）−３，１２，４８，１９２，７６８があり、ＳＤＨは、ＳＴＭ（Synchronous Transfer Mode）−１，４，１６，６４，２５６がある。また、イーサネットには、１ＧｂＥ（ギガビットイーサネット）や１０ＧｂＥなどがある。このため、主信号の種類は、フレームの形態だけでなく、伝送速度のバリエーションの増加によっても、多様化している。
【０００４】
主信号は、ネットワーク内の複数の伝送装置により中継されて、送信局側の伝送装置から受信局側の伝送装置まで伝送される。ネットワークを監視制御するネットワーク管理装置は、送信局及び受信局間において主信号の種類が一致するように、送信局側及び受信局側の伝送装置に、主信号の種類に応じた信号設定を行う。
【０００５】
中継器に関し、例えば特許文献１には、一方の端局装置から、主信号とは別のサブキャリアを変調して、該サブキャリアで主信号を変調して監視制御信号を各中継器に伝送する点が開示されている。
【先行技術文献】
【特許文献】
【０００６】
【特許文献１】特開平５−１３００５８号公報
【発明の概要】
【発明が解決しようとする課題】
【０００７】
伝送装置の信号設定は、作業者が、ネットワーク管理装置に、回線ごとに設定情報を入力することにより行われる。しかし、上述したように、主信号の種類が多様化しているため、信号設定が複雑化し、信号設定の作業に手間がかかるという問題がある。
【０００８】
作業者が信号設定を誤ると、送信局及び受信局間において信号の種類が不一致となるので、受信局側で例えばフレーム同期外れ（LOF: Loss Of Frame）の警報が出力される。この場合、ネットワーク管理装置において、警報の出力条件となる障害が実際に発生しているのか、あるいは、信号設定の誤りなのかが区別できないので、円滑なネットワーク運用の妨げとなる。
【０００９】
そこで本件は上記の課題に鑑みてなされたものであり、信号設定が容易な伝送装置、伝送システム、及び伝送方法を提供することを目的とする。
【課題を解決するための手段】
【００１０】
本明細書に記載の伝送装置は、主信号を受信する伝送装置であって、前記主信号の送信元の他の伝送装置から、前記主信号の設定情報を含む制御信号を受信する受信部と、受信した前記主信号のフレームを処理するフレーム処理部と、前記設定情報に従って前記フレーム処理部を設定する制御部とを有する。
【００１１】
本明細書に記載の伝送システムは、主信号を送信する第１伝送装置と、前記主信号を受信する第２伝送装置とを有し、前記第１伝送装置は、前記主信号のフレームを生成するフレーム生成部と、前記主信号の設定情報に従って前記フレーム生成部を設定し、前記設定情報を含む制御信号を生成する第１制御部と、前記制御信号を、前記第２伝送装置に送信する送信部とを有し、前記第２伝送装置は、前記第１伝送装置から、前記制御信号を受信する受信部と、受信した前記主信号のフレームを処理するフレーム処理部と、前記設定情報に従って前記フレーム処理部を設定する第２制御部とを有する。
【００１２】
本明細書に記載の伝送方法は、主信号のフレームを生成するフレーム生成部を有する第１伝送装置から、前記主信号のフレームを処理するフレーム処理部を有する第２伝送装置に、前記主信号を伝送する伝送方法であって、前記第１伝送装置は、前記フレーム生成部を前記主信号の設定情報に従って設定し、前記第２伝送装置に、前記設定情報を含む制御信号を送信し、前記第２伝送装置は、前記制御信号を受信し、前記フレーム処理部を、前記制御信号に含まれる前記設定情報に従って設定する方法である。
【発明の効果】
【００１３】
本明細書に記載の伝送装置、伝送システム、及び伝送方法は、信号設定を容易にするという効果を奏する。
【図面の簡単な説明】
【００１４】
【図１】伝送装置のネットワークの一例を示す構成図である。
【図２】ＲＯＡＤＭ（Reconfigurable Optical Add and Drop Multiplexer）装置の機構構成の一例を示す構成図である。
【図３】制御信号のフォーマットの一例を示す構成図である。
【図４】信号識別番号及びＦＥＣ（Forward Error Correction）識別番号の内容の一例を示す表である。
【図５】端局装置の機能構成の一例を示す構成図である。
【図６】制御信号の検出方法の例（１）を示すスペクトル波形図である。
【図７】制御信号の検出方法の例（２）を示すスペクトル波形図である。
【図８】制御信号の検出方法の例（３）を示すスペクトル波形図である。
【図９】送信側端局装置及び受信側端局装置の処理を示すフローチャートである。
【図１０】他の実施例における伝送装置のネットワークを示す構成図である。
【発明を実施するための形態】
【００１５】
図１は、伝送装置のネットワークの一例を示す構成図である。ネットワーク（伝送システム）は、伝送路（光ファイバ）７１を介してリング状に接続されたノード（Ａ）〜（Ｄ）を含む。なお、ネットワークの形態は、リング形状に限られず、メッシュ状などの他形態であってもよい。また、ノード数にも限定はない。
【００１６】
各ノード（Ａ）〜（Ｄ）には、ＲＯＡＤＭ装置８及び端局装置（伝送装置）９が設けられている。端局装置９は、他のネットワークからクライアント信号を受信し、主信号としてＲＯＡＤＭ装置８に出力する。また、端局装置９は、ＲＯＡＤＭ装置８から主信号が入力され、主信号を、クライアント信号として他のネットワークに送信する。
【００１７】
ＲＯＡＤＭ装置８は、波長が互いに異なる複数の光を多重し、多重して得た多重光信号を伝送する。ＲＯＡＤＭ装置８は、端局装置９から入力された主信号を多重光信号として伝送する。多重光信号は、伝送路７１を介して隣接ノードのＲＯＡＤＭ装置８に入力される。なお、本例では、主信号の中継装置として、ＲＯＡＤＭ装置８を挙げるが、光信号を単に増幅するリピーターなどのような他種の中継装置を用いてもよい。
【００１８】
各ノード（Ａ）〜（Ｄ）のＲＯＡＤＭ装置８及び端局装置９は、管理用ネットワーク７０を介して、ネットワーク管理装置７に接続されている。ネットワーク管理装置７は、各ノード（Ａ）〜（Ｄ）のＲＯＡＤＭ装置８及び端局装置９を監視制御する。管理用ネットワーク７０としては、例えばＬＡＮ（Local Area Network）が用いられる。なお、図１において、ネットワーク管理装置７は、ノード（Ａ），（Ｄ）のみと接続されているが、他ノード（Ｂ），（Ｃ）にも同様に接続されているものとする。
【００１９】
ネットワーク管理装置７は、各ノード（Ａ）〜（Ｄ）に主信号の経路を設定する。例えば、ノード（Ａ）の端局装置９から、ノード（Ｂ），（Ｃ）を経由して、ノード（Ｄ）の端局装置９に主信号を伝送する場合（経路Ｒ参照）、ネットワーク管理装置７は、ノード（Ａ）のＲＯＡＤＭ装置８に挿入設定（アド設定）を行う。また、ネットワーク管理装置７は、ノード（Ｂ），（Ｃ）のＲＯＡＤＭ装置８に通過設定（スルー設定）を行い、ノード（Ｄ）のＲＯＡＤＭ装置８に分岐設定（ドロップ設定）を行う。なお、この場合、ノード（Ａ）は、送信局となり、ノード（Ｄ）は受信局となる。
【００２０】
図２は、ＲＯＡＤＭ装置８の機構構成の一例を示す構成図である。ＲＯＡＤＭ装置８は、制御部４６と、光増幅器４０，４１と、光スプリッタ（ＳＰＬ）４２と、波長選択スイッチ（WSS: Wavelength Selective Switch）４３と、分波部（ＤＥＭＵＸ）４４と、合波部（ＭＵＸ）４５とを有する。なお、図２には、１つの方路についての光増幅器４０，４１、光スプリッタ４２、及び波長選択スイッチ４３のみが示されているが、他の方路についても、これらの構成は同様に設けられている。
【００２１】
光増幅器４０は、伝送路７１から入力された多重光信号を増幅し、光スプリッタ４２に出力する。光スプリッタ４２は、多重光信号を分岐して、波長選択スイッチ４３及び分波部４４に導く。なお、多重光信号の分岐先となる波長選択スイッチ４３は、図示された方路のものだけでなく、他方路のものも含まれる。
【００２２】
分波部４４は、例えばアレイ導波路格子(AWG: Array Waveguide Grating)であり、多重光信号を波長λi，λi+1，・・・，λi+kごとに分波して、分波して得た光信号を各ポートから出力する。波長λi，λi+1，・・・，λi+kの光信号の少なくとも１つは、端局装置９に出力される。波長λi，λi+1，・・・，λi+kは、制御部４６によりポートごとに設定される。
【００２３】
制御部４６は、ＣＰＵ（Central Processing Unit）などのプロセッサであり、ＲＯＡＤＭ装置８を全体的に制御する。制御部４６は、ネットワーク管理装置７と通信し、ネットワーク管理装置７の指示に従って、波長選択スイッチ４３、分波部４４、及び合波部４５の波長設定を行う。
【００２４】
合波部４５は、例えばアレイ導波路格子であり、各ポートに入力された波長λj，λj+1，・・・，λj+kの光信号を合波して、波長選択スイッチに出力する。波長λj，λj+1，・・・，λj+kは、制御部４６によりポートごとに設定される。波長λj，λj+1，・・・，λj+kの光信号の少なくとも１つは、端局装置９から入力される。
【００２５】
波長選択スイッチ４３は、制御部４６による設定に従って選択した波長の光信号を多重し、多重光信号として光増幅器４１に出力する。より具体的には、波長選択スイッチ４３は、各方路の光スプリッタ４２及び合波部４５から入力された多重光信号を波長ごとに分離し、選択した波長の光信号を多重して出力する。光増幅器４１は、多重光信号を増幅して伝送路７１に出力する。
【００２６】
上記の挿入設定、通過設定、及び分岐設定は、制御部４６が、波長選択スイッチ４３、分波部４４、及び合波部４５に波長を設定することにより行われる。図１に示された経路Ｒに従って波長λsの信号を伝送する場合、ノード（Ａ）において、制御部４６は、波長λsの挿入設定を行うため、波長選択スイッチ４３及び合波部４５に波長λsを設定する。また、ノード（Ｂ），（Ｃ）において、制御部４６は、波長λsの通過設定を行うため、波長選択スイッチ４３に波長λsを設定する。さらに、ノード（Ｄ）において、制御部４６は、波長λsの分岐設定を行うため、分波部４４に波長λsを設定し、波長選択スイッチ４３に波長λｓのブロック設定（非選択設定）を行う。
【００２７】
このように、各ノード（Ａ）〜（Ｄ）のＲＯＡＤＭ装置８に適切な設定を行うことにより、任意の端局装置９間に主信号を伝送することができる。端局装置９は、複数の種類の主信号から１つを選択して伝送することが可能である。このため、主信号を送信する送信側端局装置（第１伝送装置）９、及び、主信号を受信する受信側端局装置（第２伝送装置）９は、主信号を正常に送受信するため、主信号の種類が一致するように設定される。
【００２８】
また、端局装置９は、主信号のデータの誤り訂正を行うためのＦＥＣについて、複数の種類から１つを選択することができる。このため、送信側端局装置９及び受信側端局装置９は、誤り訂正を正常に実行するため、ＦＥＣの種類が一致するように設定される。
【００２９】
主信号の種類及びＦＥＣの種類の情報は、制御信号に含まれて、送信側端局装置９から受信側端局装置９に伝送される。ここで、制御信号は、伝送する主信号に重畳されている。したがって、図１の経路Ｒの例では、制御信号は、ノード（Ａ）の端局装置９から、ノード（Ａ）〜（Ｄ）のＲＯＡＤＭ装置８を経由して、ノード（Ｄ）の端局装置９まで伝送される。
【００３０】
図３は、制御信号のフォーマットの一例を示す構成図である。制御信号は、オーバーヘッド、送信先情報、送信元情報、信号識別番号、ＦＥＣ識別番号、及びＣＲＣ（Cyclic Redundancy Check）を含む。
【００３１】
オーバーヘッドは、端局装置９が制御信号を識別するための固定データパタンである。固定データパタンとしては、例えば０ｘ５Ａ５Ａを挙げることができるが、これに限定されない。
【００３２】
送信先情報及び送信元情報は、送信側端局装置９及び受信側端局装置９をそれぞれ示す情報である。送信先情報及び送信元情報は、例えば、局舎情報（例えば「TKYFUJITSU-20130529」などの記号）と、装置情報（例えば、「OS1-OYAMA-K1」などの記号）とを含む。
【００３３】
信号識別番号は、主信号の種類を示す情報であり、ＦＥＣ識別番号は、ＦＥＣの種類を示す情報である。図４には、信号識別番号及びＦＥＣ識別番号の内容の一例が示されている。
【００３４】
図４（ａ）は、信号識別番号に対応する主信号の種類を示す。例えば、信号識別番号が「１」である場合、主信号の種類はＯＣ１９２（ＳＴＭ６４）であり、信号識別番号が「２」である場合、主信号の種類は１０ＧｂＥである。
【００３５】
本例において、信号識別番号は、主信号のフレームの種類とともに、伝送速度が特定されるように、主信号の種類を示す。例えば「１０ＧｂＥ」は、１０（Ｇｂｐｓ）のイーサネットフレームであることを示す。なお、フレームの種類及び伝送速度は、このような形式に限られず、別々の識別番号により示されてもよい。
【００３６】
図４（ｂ）は、ＦＥＣ識別番号に対応するＦＥＣの種類を示す。例えば、ＦＥＣ識別番号が「１」である場合、ＦＥＣは未適用（「なし」参照）であり、ＦＥＣ識別番号が「２」である場合、ＦＥＣの種類はＲＳ（リードソロモン）−ＦＥＣである。なお、このようなＦＥＣの種類は、例えば、ＩＴＵ−Ｔ勧告Ｇ．９７５のＡｐｐｅｎｄｉｘ  Ｉに規定されている。
【００３７】
再び図３を参照すると、ＣＲＣは、制御信号のデータの誤り訂正符号である。つまり、ＣＲＣを用いて、制御信号のデータの正常性を検査し、数ビット程度の誤りである場合、これを訂正することができる。
【００３８】
図５は、端局装置９の機能構成の一例を示す構成図である。端局装置９は、送信部１と、受信部２と、制御部３と、符号器３３と、復号器３２と、通信処理部３０と、記憶部３１と、フレーム生成部１０と、ＦＥＣ生成部１１と、フレーム処理部２０と、誤り訂正部２１と、波長可変局部発振光源２６とを有する。
【００３９】
フレーム生成部１０は、外部のネットワークから受信したクライアント信号Ｓ１１に基づいて、主信号Ｓ１０のフレームを生成する。例えば、フレーム生成部１０は、クライアント信号Ｓ１１のデータを、主信号Ｓ１０のフレームに収容する。なお、クライアント信号Ｓ１１の形式に限定はない。
【００４０】
ＦＥＣ生成部（誤り訂正符号生成部）１１は、主信号Ｓ１０のデータの誤りを訂正するための誤り訂正符号を生成する。生成されたＦＥＣは、例えば主信号Ｓ１０のデータの最後部に付与される。
【００４１】
送信部１は、主信号Ｓ１０に制御信号Ｓｂを重畳して送信する。制御信号Ｓｂが重畳された主信号Ｓ１０は、ＲＯＡＤＭ装置８の合波部４５に入力される。
【００４２】
受信部２は、制御信号Ｓｃが重畳された主信号Ｓ２０を受信する。つまり、受信部２は、ＲＯＡＤＭ装置８の分波部４４から、主信号Ｓ２０に重畳された制御信号Ｓｃが入力される。
【００４３】
誤り訂正部２１は、主信号Ｓ２０に含まれるＦＥＣに基づいて、主信号Ｓ２０のデータの誤りを検査する。誤り訂正部２１は、検査の結果、誤りが検出された場合、ＦＥＣを用いて誤りを訂正する。
【００４４】
フレーム処理部２０は、受信した主信号Ｓ２０のフレームを処理する。例えば、フレーム処理部２０は、主信号Ｓ２０のフレーム同期処理を行った後、主信号Ｓ２０のフレームからデータを取り出して、クライアント信号Ｓ２１として外部のネットワークに送信する。フレーム処理部２０は、例えば伝送路７１の障害により、フレーム同期を確立できない場合、制御部３に、警報としてＬＯＦを通知する。
【００４５】
制御部（第１制御部、第２制御部）３は、例えばＣＰＵ及びＦＰＧＡ（Field Programmable Gate Array）であり、端局装置９を全体的に制御する。通信処理部３０は、制御部３及びネットワーク管理装置７間の通信を処理する。記憶部３１は、例えばメモリであり、制御部３を駆動するプログラム及び各種の設定情報などを記憶する。
【００４６】
制御部３は、ネットワーク管理装置７から、送信対象の主信号Ｓ１０の信号識別番号（設定情報）、及び、主信号Ｓ１０に適用するＦＥＣの種類を示すＦＥＣ識別番号（符号種別情報）を受信し、記憶部３１に記憶する。
【００４７】
制御部３は、記憶部３１から信号識別番号を読み出して、信号識別番号に従ってフレーム生成部１０を設定する。このため、フレーム生成部１０は、信号識別番号に応じたフレーム（図４（ａ）参照）を生成する。
【００４８】
また、制御部３は、記憶部３１からＦＥＣ識別番号を読み出して、ＦＥＣ識別番号に従ってＦＥＣ生成部１１を設定する。このため、ＦＥＣ生成部１１は、ＦＥＣ識別番号に応じたＦＥＣ（図４（ｂ）参照）を生成する。
【００４９】
また、制御部３は、信号識別番号及びＦＥＣ識別番号を含む制御信号Ｓｂを生成する。制御信号Ｓｂは、符号器３３により符号化された後、送信部１に出力される。
【００５０】
送信部１は、主信号Ｓ１０に制御信号Ｓｂを重畳して送信する。送信部１は、送信処理部１２と、駆動回路１３ａ〜１３ｄと、波長可変光源１４と、位相変調器１５ａ〜１５ｄと、偏波ビームコンバイナ（PCB: Polarization Beam Combiner）１６とを含む。
【００５１】
送信処理部１２は、主信号Ｓ１０を変調して主搬送波に重畳し、符号化された制御信号Ｓｃを、主搬送波とは異なる副搬送波に重畳する。送信処理部１２は、主搬送波及び副搬送波を合成して、該合成波に基づいて駆動回路１３ａ〜１３ｄを制御する。これにより、制御信号Ｓｃは、主信号Ｓ１０に重畳される。なお、変調方式としては、例えばＤＭＴ（Discrete Multitone Technique）が挙げられるが、これに限定されない。
【００５２】
このように、制御信号Ｓｂは、主信号Ｓ１０に重畳されているので、主信号Ｓ１０及び制御信号Ｓｂは、共通の送信処理により、共通の伝送路７１を介して受信側端局装置９に送信される。
【００５３】
波長可変光源１４は、波長が可変である送信光を出力する。送信光の波長λｓは、制御部３から設定される。制御部３は、ネットワーク管理装置７から波長λｓを受信し、記憶部３１に記憶させておく。
【００５４】
位相変調器１５ａ〜１５ｄは、例えばＬＮ変調器であり、駆動回路１３ａ〜１３ｄにより駆動されることにより、送信光を位相変調する。位相変調器１５ａ〜１５ｄは、マッハツェンダ干渉計を構成するように光導波路で接続されている。これにより、位相が異なる４つの光が生成される。偏波ビームコンバイナ１６は、４つの光の位相を結合して、主信号Ｓ１０及び制御信号Ｓｂを含む信号光として出力する。信号光は、ＲＯＡＤＭ装置８の合波部４５に入力される。
【００５５】
このように、信号識別番号及びＦＥＣ識別番号を含む制御信号Ｓｂは、主信号Ｓ１０に重畳されて、ＲＯＡＤＭ装置８により伝送路７１に出力される。図１の経路Ｒの場合、主信号Ｓ１０及び制御信号Ｓｂは、ノード（Ａ）のＲＯＡＤＭ装置８において挿入されて、伝送路７１に出力される。このとき、ノード（Ａ）のＲＯＡＤＭ装置８は、波長λｓについて挿入設定がなされている。
【００５６】
制御信号Ｓｃは、主信号Ｓ１０の送信先の他の端局装置９、つまり受信側端局装置９に送信される。図１の経路Ｒの場合、主信号Ｓ１０及び制御信号Ｓｃは、ノード（Ｄ）のＲＯＡＤＭ装置８において分岐されて、端局装置９の受信部２に入力される。このとき、ノード（Ｄ）のＲＯＡＤＭ装置８は、波長λｓについて分岐設定がなされている。
【００５７】
受信部２は、信号抽出部２２と、Ａ／Ｄ変換部２３と、Ｏ／Ｅ変換部２４と、検波器２５とを有する。検波器２５は、波長可変局部発振光源２６から出力された参照光を用いて、主信号Ｓ２０制御信号Ｓｃを検波する。検波器２５の検波方式としては、例えばホモダイン検波が挙げられるが、これに限定されず、ヘテロダイン検波などの他の手法を採用してもよい。
【００５８】
Ｏ／Ｅ変換部２４は、検波器２５から出力された光信号を電気信号に変換する。また、Ｏ／Ｅ変換部２４は、検波器２５から出力された光信号のパワー（光レベル）を検出するパワー検出部２４０を有する。パワー検出部２４０は、検出したパワーを制御部３に通知する。
【００５９】
制御部３は、パワー検出部２４０から通知されたパワーを監視しつつ、波長可変局部発振光源２６から出力される参照光の波長λｘを制御する。制御部３は、検波器２５から出力された光信号のパワーが最大となるように、波長λｘを調整する。なお、このときの制御部３の動作の詳細は、後述する。
【００６０】
Ａ／Ｄ変換部２３は、電気信号をアナログからデジタルに変換する。信号抽出部２２は、主搬送波及び副搬送波を分離することにより、電気信号から制御信号Ｓｃの成分を抽出して復号器３２に出力し、主信号Ｓ２０の成分を復調して誤り訂正部２１に出力する。
【００６１】
復号器３２は、制御信号Ｓｃを復号化して、制御部３に出力する。制御部３は、制御信号Ｓｃを、オーバヘッド（図３参照）により識別する。制御信号Ｓｃを識別すると、制御部３は、ＣＲＣにより、制御信号のデータの誤りを検査し、数ビットの誤りが検出された場合、これを訂正する。
【００６２】
制御部３は、例えば、送信先情報を、記憶部３１に記憶された自装置のＩＤと比較し、一致した場合、誤り訂正部２１及びフレーム処理部２０の設定処理を行う。また、制御部３は、例えば、送信元情報をネットワーク管理装置７に送信する。
【００６３】
制御部３は、制御信号Ｓｃに含まれるＦＥＣ識別番号に基づいて誤り訂正部２１を設定する。これにより、誤り訂正部２１は、送信側端局装置９の設定と一致する設定に基づいて、例えばデータ誤りを誤検出することなく、ＦＥＣを正常に処理することができる。
【００６４】
また、制御部３は、制御信号Ｓｃに含まれる信号識別番号に従ってフレーム処理部２０を設定する。これにより、フレーム処理部２０は、送信側端局装置９の設定と一致する設定に基づいて、例えばＬＯＦを誤検出することなく、主信号Ｓ２０のフレームを正常に処理することができる。したがって、ネットワーク管理装置７は、端局装置９からＬＯＦが通知されたとき、信号設定ではなく、伝送路７１に問題があることを容易に判断できる。言い換えれば、障害要因の判断が容易となる。
【００６５】
次に、図６〜図８を参照して、受信部２における制御信号Ｓｃの検出方法を説明する。
【００６６】
（検出例（１））
図６は、制御信号Ｓｃの検出方法の例（１）を示すスペクトル波形図である。本例は、受信側端局装置９において、制御信号Ｓｃの波長λｘが既知である場合を示す。このような場合としては、例えば、ネットワーク管理装置７が、制御信号Ｓｃの波長λｘ（上記の送信波長λｓ）を送信側端局装置９から取得して、受信側端局装置９に予め通知する場合が考えられる。
【００６７】
図６（ａ）は、伝送路７１を伝送される多重光信号の光スペクトル波形を示す。多重光信号は、例えば波長λ１〜λ８の光信号を含む。ここで、制御信号Ｓｃの波長はλ４とする。
【００６８】
図６（ｂ）は、ＲＯＡＤＭ装置８の分波部４４から入力されるドロップ光信号の光スペクトル波形を示す。制御部３は、参照光の波長λｘを、既知の制御信号Ｓｃの波長λ４に調整する。このとき、検波器２５は、ビート光を出力するため、パワー検出部２４０は、最大パワーを検出する（つまり、振幅が最大となる）。制御部３は、パワー検出部２４０から最大パワーが通知された場合、制御信号Ｓｃが検出されたと判断し、信号識別番号及びＦＥＣ識別番号に従ってフレーム処理部２０及び誤り訂正部２１をそれぞれ設定する。
【００６９】
（検出例（２））
図７は、制御信号Ｓｃの検出方法の例（２）を示すスペクトル波形図である。本例は、受信側端局装置９において、制御信号Ｓｃの波長λｘが既知ではない場合を示す。
【００７０】
図７（ａ）は、伝送路７１を伝送される多重光信号の光スペクトル波形を示す。多重光信号は、例えば波長λ１〜λ８の光信号を含む。ここで、制御信号Ｓｃの波長はλ４とする。
【００７１】
図７（ｂ）は、ＲＯＡＤＭ装置８の分波部４４から入力されるドロップ光信号の光スペクトル波形を示す。制御部３は、参照光の波長λｘを、使用可能な最小波長λ１から、所定の波長間隔Δλ（例えばＩＴＵ−Ｔグリッド単位）で増加させる。すなわち、波長λｘは、λ１，λ１＋Δλ，λ１＋２×Δλ，・・・に順次に変化する。波長の変化は、例えば一定時間の経過後に発生する。なお、波長λｘの変化は、最小波長λ１から増加する方向に限られず、最大波長λ８から減少する方向に行われてもよい。
【００７２】
波長λｘがλ４に調整されたとき、検波器２５は、ビート光を出力するため、パワー検出部２４０は、最大パワーを検出する。制御部３は、パワー検出部２４０から最大パワーが通知された場合、制御信号Ｓｃが検出されたと判断し、信号識別番号及びＦＥＣ識別番号に従ってフレーム処理部２０及び誤り訂正部２１をそれぞれ設定する。ここで、制御部３は、例えば、パワー検出部２４０から通知されたパワーが、所定値以上になった場合、最大パワーであると判断する。
【００７３】
このように、制御部３は、制御信号Ｓｃのパワーが所定値以上となるように、参照光の波長を制御する。したがって、受信側の端局装置９において、制御信号Ｓｃの波長λｘが不明である場合であっても、制御信号Ｓｃを検出することができる。
【００７４】
（検出例（３））
図８は、制御信号Ｓｃの検出方法の例（３）を示すスペクトル波形図である。本例は、受信側の端局装置９において、制御信号Ｓｃの波長λｘが既知ではなく、また、ＲＯＡＤＭ装置８がカラーレス機能を備える場合を示す。カラーレス機能は、波長設定の利便性が高まるように、合波部４５及び分波部４４においてポートに対する波長の制約を排除したものである。つまり、合波部４５の各ポートには、任意の波長の光が入力可能であり、分波部４４の各ポートからは、多重光信号に含まれる全波長の光が出力される。カラーレス機能を実現する場合、合波部４５及び分波部４４として、例えば光カプラ及び光スプリッタがそれぞれ用いられる。
【００７５】
図８（ａ）は、伝送路７１を伝送される多重光信号の光スペクトル波形を示す。多重光信号は、例えば波長λ１〜λ８の光信号を含む。ここで、受信側端局装置９宛ての制御信号Ｓｃの波長はλ４とする。また、他の波長λ１〜λ３，λ５〜λ９は、他の端局装置９宛ての制御信号Ｓｃの波長であるとする。
【００７６】
図８（ｂ）は、ＲＯＡＤＭ装置８の分波部４４から入力されるドロップ光信号の光スペクトル波形を示す。ドロップ光信号には、カラーレス機能により多重光信号の全波長成分（λ１〜λ８）が含まれる。
【００７７】
制御部３は、参照光の波長λｘを、使用可能な最小波長λ１から、所定の波長間隔Δλ（例えばＩＴＵ−Ｔグリッド単位）で増加させる。すなわち、波長λｘは、λ１，λ１＋Δλ，λ１＋２×Δλ，・・・に順次に変化する。波長の変化は、例えば一定時間の経過後に発生する。なお、波長λｘの変化は、最小波長λ１から増加する方向に限られず、最大波長λ８から減少する方向に行われてもよい。
【００７８】
波長λｘが、波長λ１〜λ８の何れかに調整されるたびに、検波器２５は、ビート光を出力するため、パワー検出部２４０は、最大パワーを検出する。制御部３は、パワー検出部２４０から最大パワーが通知された場合、制御信号Ｓｃが検出されたと判断し、制御信号Ｓｃに含まれる送信先情報（図３参照）を、上述したように自装置のＩＤと比較する。
【００７９】
比較の結果、一致した場合、制御部３は、信号識別番号及びＦＥＣ識別番号に従ってフレーム処理部２０及び誤り訂正部２１をそれぞれ設定する。ここで、制御部３は、例えば、パワー検出部２４０から通知されたパワーが、所定値以上になった場合、最大パワーであると判断する。一方、比較の結果、一致しなかった場合、制御部３は、フレーム処理部２０及び誤り訂正部２１の設定を行うことなく、波長λｘの制御を継続する。
【００８０】
このように、カラーレス機能のため、端局装置９の受信部２に、自装置宛てだけでなく、他装置宛ての制御信号Ｓｃも入力される場合、制御部３は、制御信号Ｓｃに含まれる送信先情報に基づいて自装置宛ての制御信号Ｓｃを判定する。これにより、波長設定の利便性及び信号設定の利便性が両立される。
【００８１】
図９は、送信側端局装置９及び受信側端局装置９の処理を示すフローチャートである。より具体的には、図９は、送信側端局装置９及び受信側端局装置９間における主信号導通の開始の手順を示す。なお、図１の経路Ｒの例の場合、送信側端局装置９はノード（Ａ）の端局装置９であり、受信側端局装置９はノード（Ｄ）の端局装置９である。また、図９において、ステップＳｔ１〜Ｓｔ３は、送信側端局装置９の処理を示し、ステップＳｔ４〜Ｓｔ９は、受信側端局装置９の処理を示す。
【００８２】
送信側端局装置９において、制御部３は、ネットワーク管理装置７から受信した信号識別番号及びＦＥＣ識別番号に従って、フレーム生成部１０及びＦＥＣ生成部１１を設定する（ステップＳｔ１）。これにより、フレーム生成部１０は、信号識別番号に対応する主信号Ｓ１０のフレームを生成し、ＦＥＣ生成部１１は、ＦＥＣ識別番号に対応するＦＥＣを生成する。
【００８３】
次に、制御部３は、信号識別番号及びＦＥＣ識別番号を含む制御信号（図３参照）を生成する（ステップＳｔ２）。次に、送信部１は、受信側端局装置９に主信号Ｓ１０及び制御信号Ｓｃを送信する（ステップＳｔ３）。このとき、制御信号Ｓｃは、主信号Ｓ１０に重畳されて送信される。
【００８４】
一方、受信側端局装置９において、受信部２は、主信号Ｓ２０及び制御信号を受信する（ステップＳｔ４）。このとき、制御部３は、制御信号を検出するため、図６〜図８を参照して述べた処理を行う。
【００８５】
次に、制御部３は、制御信号に含まれる信号識別番号及びＦＥＣ識別番号に従って、フレーム処理部２０及び誤り訂正部２１を設定する（ステップＳｔ５）。これにより、フレーム処理部２０は、送信側端局装置９のフレーム生成部１０の設定に一致するように設定がなされ、誤り訂正部２１は、送信側端局装置９のＦＥＣ生成部１１の設定に一致するように設定がなされる。
【００８６】
次に、フレーム処理部２０及び誤り訂正部２１は、主信号処理を開始する（ステップＳｔ６）。このとき、フレーム処理部２０は、信号識別番号が示す主信号の種類に基づき、主信号Ｓ２０のフレームを処理する。また、誤り訂正部２１は、ＦＥＣ識別番号が示すＦＥＣの種類に基づき、ＦＥＣを処理して誤り訂正を行う。なお、主信号処理の開始指示は、制御部３からフレーム処理部２０及び誤り訂正部２１に出力される。
【００８７】
このように、フレーム処理部２０及び誤り訂正部２１は、信号識別番号及びＦＥＣ識別番号の設定後に主信号の処理を開始するので、ＬＯＦなどの警報及びデータ誤りをそれぞれ誤検出することがない。
【００８８】
次に、制御部３は、ＬＯＦの検出の有無を判定する（ステップＳｔ８）。ＬＯＦが検出された場合（ステップＳｔ７のＹＥＳ）、制御部３は、ネットワーク管理装置７に、伝送路７１の障害を通知する（ステップＳｔ９）。一方、ＬＯＦが検出されない場合（ステップＳｔ７のＮＯ）、制御部３は、ネットワーク管理装置７に、信号設定の完了を通知する（ステップＳｔ８）。つまり、制御部３は、ＬＯＦが検出されたとき、その障害要因を明確に判断して、ネットワーク管理装置７に通知することができる。このようにして、送信側端局装置９及び受信側端局装置９の処理は行われる。
【００８９】
上述した実施例では、制御信号は、主信号に重畳されるため、主信号と共通の経路Ｒを経由して伝送されるが、これに限らず、主信号とは異なる経路を経由して、伝送されてもよい。
【００９０】
図１０は、他の実施例における伝送装置のネットワークを示す構成図である。なお、図１０において、図１と共通する構成については、同一の符号を付し、その説明を省略する。
【００９１】
本実施例において、ノード（Ａ）の端局装置９は、主信号を、経路Ｒを経由してノード（Ｃ）の端局装置９に送信する。つまり、主信号は、先の実施例と同様に、ノード（Ａ）から、ノード（Ｂ），（Ｃ）を経由してノード（Ｄ）まで伝送される。
【００９２】
また、制御信号は、ノード（Ａ）の端局装置９から、主信号とは異なる経路Ｋを経由して、ノード（Ｄ）まで伝送される。つまり、ノード（Ａ）の端局装置９は、制御信号を、管理用ネットワーク７０を介してノード（Ｄ）の端局装置９に送信する。このとき、図５に示された端局装置９の機能構成において、通信処理部３０が、制御信号を送信する送信部または制御信号を受信する受信部として機能する。
【００９３】
ノード（Ａ）の端局装置９は、制御信号を、例えばイーサネットフレームとして送信する。この場合、制御信号は、管理用ネットワーク７０において、イーサネットフレームのＤＡ（Destination Address）に従い、ノード（Ｄ）の端局装置９まで導かれる。なお、ＤＡに代えて、制御信号は、自己に含まれる送信先情報に基づいて導かれてもよい。ノード（Ｄ）の端局装置９は、制御信号に含まれる送信先情報に基づいて、制御信号が自装置宛てであることを判別する。
【００９４】
本実施例では、送信側端局装置９から受信側端局装置９に制御信号を伝送するため、受信側端局装置９において、制御信号に含まれる信号識別番号及びＦＥＣ識別番号に従い、送信側端局装置９と同様の設定が行われる。したがって、本実施例によっても、先の実施例と同様の作用効果が得られる。
【００９５】
これまで述べたように、実施例に係る伝送装置（受信側端局装置）９は、受信部２と、フレーム処理部２０と、制御部３とを有し、主信号Ｓ２０を受信する。受信部２は、主信号Ｓ２０の送信元の他の伝送装置（送信側端局装置）９から、主信号Ｓ２０の設定情報（信号識別番号）を含む制御信号Ｓｃを受信する。フレーム処理部２０は、受信した主信号Ｓ２０のフレームを処理する。制御部３は、設定情報に従ってフレーム処理部２０を設定する。
【００９６】
この構成によると、受信部２は、主信号Ｓ２０の送信元の他の伝送装置９から、主信号Ｓ２０の設定情報を含む制御信号Ｓｃを受信し、制御部３は、設定情報に従ってフレーム処理部２０を設定する。これにより、フレーム処理部２０は、主信号Ｓ２０の送信元の他の伝送装置９と同様の設定に基づいて、受信した主信号のフレームを処理する。
【００９７】
したがって、実施例に係る伝送装置９によると、主信号Ｓ２０を送信する他の伝送装置９との間における設定の不一致が防止され、ＬＯＦなどの警報が検出されることなく、主信号を正常に処理することができる。よって、信号設定が容易となる。
【００９８】
また、他の実施例に係る伝送装置（送信側端局装置）９は、フレーム生成部１０と、制御部３と、送信部１とを有し、主信号Ｓ１０を送信する。フレーム生成部１０は、主信号Ｓ１０のフレームを生成する。制御部３は、主信号Ｓ１０の設定情報（信号識別番号）に従ってフレーム生成部１０を設定し、設定情報を含む制御信号Ｓｂを生成する。送信部１は、制御信号Ｓｂを、主信号Ｓ１０の送信先の他の伝送装置（送信側端局装置）９に送信する。
【００９９】
この構成によると、フレーム生成部１０は、制御部３により、主信号Ｓ１０の設定情報に従って設定される。制御部３は、設定情報を含む制御信号Ｓｂを生成し、送信部１は、制御信号Ｓｂを主信号Ｓ１０の送信先の他の伝送装置９に送信する。
【０１００】
したがって、他の実施例に係る伝送装置９によると、主信号Ｓ１０を受信する他の伝送装置９との間における設定の不一致が防止される。よって、信号設定が容易となる。
【０１０１】
また、実施例に係る伝送システムは、主信号を送信する第１伝送装置（送信側端局装置）９と、主信号を受信する第２伝送装置（受信側端局装置）とを有する。
【０１０２】
第１伝送装置９は、フレーム生成部１０と、第１制御部（制御部）３と、送信部１とを有する。フレーム生成部１０は、主信号のフレームを生成する。第１制御部３は、主信号の設定情報（信号識別番号）に従ってフレーム生成部１０を設定し、設定情報を含む制御信号Ｓｃを生成する。送信部１は、制御信号Ｓｃを、第２伝送装置（受信側端局装置）９に送信する。
【０１０３】
第２伝送装置９は、受信部２と、フレーム処理部２０と、制御部３とを有する。受信部２は、第１伝送装置９から、主信号の設定情報を含む制御信号Ｓｃを受信する。フレーム処理部２０は、受信した主信号のフレームを処理する。制御部３は、設定情報に従ってフレーム処理部２０を設定する。
【０１０４】
実施例に係る伝送システムは、実施例に係る伝送装置９と同様の構成を有するので、上記と同様の作用効果を奏する。
【０１０５】
また、実施例に係る伝送方法は、主信号のフレームを生成するフレーム生成部１０を有する第１伝送装置（送信側端局装置）９から、主信号のフレームを処理するフレーム処理部２０を有する第２伝送装置（受信側端局装置）９に、主信号を伝送する伝送方法である。この伝送方法において、第１伝送装置９は、フレーム生成部１０を主信号の設定情報に従って設定し、第２伝送装置に、設定情報を含む制御信号Ｓｃを送信する。第２伝送装置９は、制御信号Ｓｃを受信し、フレーム処理部２０を、制御信号Ｓｃに含まれる設定情報に従って設定する。
【０１０６】
実施例に係る伝送システムは、実施例に係る伝送装置９と同様の構成を有するので、上記と同様の作用効果を奏する。
【０１０７】
以上、好ましい実施例を参照して本発明の内容を具体的に説明したが、本発明の基本的技術思想及び教示に基づいて、当業者であれば、種々の変形態様を採り得ることは自明である。
【０１０８】
なお、以上の説明に関して更に以下の付記を開示する。
（付記１）  主信号を受信する伝送装置において、
前記主信号の送信元の他の伝送装置から、前記主信号の設定情報を含む制御信号を受信する受信部と、
受信した前記主信号のフレームを処理するフレーム処理部と、
前記設定情報に従って前記フレーム処理部を設定する制御部とを有することを特徴とする伝送装置。
（付記２）  前記制御信号は、前記主信号に重畳されていることを特徴とする付記１に記載の伝送装置。
（付記３）  前記主信号に含まれる誤り訂正符号に基づいて、前記主信号のデータの誤り訂正を行う誤り訂正部を、さらに含み、
前記制御信号は、前記誤り訂正符号の種類を示す符号種別情報を含み、
前記制御部は、前記符号種別情報に従って前記誤り訂正部を設定することを特徴とする付記１または２に記載の伝送装置。
（付記４）  波長が可変である参照光を出力する光源を、さらに有し、
前記受信部は、前記参照光を用いて、前記制御信号を検波し、
前記制御部は、前記制御信号のパワーが所定値以上となるように、前記参照光の波長を制御することを特徴とする付記１または２に記載の伝送装置。
（付記５）  主信号を送信する伝送装置において、
前記主信号のフレームを生成するフレーム生成部と、
前記主信号の設定情報に従って前記フレーム生成部を設定し、前記設定情報を含む制御信号を生成する制御部と、
前記制御信号を、前記主信号の送信先の他の伝送装置に送信する送信部とを有することを特徴とする伝送装置。
（付記６）  前記送信部は、前記制御信号を、前記主信号に重畳して送信することを特徴とする付記５に記載の伝送装置。
（付記７）  前記主信号のデータの誤りを訂正するための誤り訂正符号を生成する誤り訂正符号生成部を、さらに含み、
前記制御信号は、前記誤り訂正符号の種類を示す符号種別情報を含み、
前記制御部は、前記符号種別情報に従って前記誤り訂正符号生成部を設定することを特徴とする付記５または６に記載の伝送装置。
（付記８）
主信号を送信する第１伝送装置と、
前記主信号を受信する第２伝送装置とを有し、
前記第１伝送装置は、
前記主信号のフレームを生成するフレーム生成部と、
前記主信号の設定情報に従って前記フレーム生成部を設定し、前記設定情報を含む制御信号を生成する第１制御部と、
前記制御信号を、前記第２伝送装置に送信する送信部とを有し、
前記第２伝送装置は、
前記第１伝送装置から、前記制御信号を受信する受信部と、
受信した前記主信号のフレームを処理するフレーム処理部と、
前記設定情報に従って前記フレーム処理部を設定する第２制御部とを有することを特徴とする伝送システム。
（付記９）  前記送信部は、前記制御信号を、前記主信号に重畳して送信することを特徴とする付記８に記載の伝送システム。
（付記１０）  前記第１伝送装置は、前記主信号のデータの誤りを訂正するための誤り訂正符号を生成する誤り訂正符号生成部を、さらに有し、
前記制御信号は、前記誤り訂正符号の種類を示す符号種別情報を含み、
前記第１制御部は、前記符号種別情報に従って前記誤り訂正符号生成部を設定し、
前記第２伝送装置は、前記主信号に含まれる誤り訂正符号に基づいて、前記主信号のデータの誤り訂正を行う誤り訂正部を、さらに有し、
前記第２制御部は、前記符号種別情報に従って前記誤り訂正部を設定することを特徴とする付記８または９に記載の伝送システム。
（付記１１）  主信号のフレームを生成するフレーム生成部を有する第１伝送装置から、前記主信号のフレームを処理するフレーム処理部を有する第２伝送装置に、前記主信号を伝送する伝送方法において、
前記第１伝送装置は、前記フレーム生成部を前記主信号の設定情報に従って設定し、前記第２伝送装置に、前記設定情報を含む制御信号を送信し、
前記第２伝送装置は、前記制御信号を受信し、前記フレーム処理部を、前記制御信号に含まれる前記設定情報に従って設定することを特徴とする伝送方法。
（付記１２）  前記第２伝送装置は、前記制御信号を、前記主信号に重畳して送信することを特徴とする付記１１に記載の伝送方法。
（付記１３）  前記第１伝送装置は、前記主信号のデータの誤りを訂正するための誤り訂正符号を生成する誤り訂正符号生成部を、さらに有し、
前記制御信号は、前記誤り訂正符号の種類を示す符号種別情報を含み、
前記第１伝送装置は、前記符号種別情報に従って前記誤り訂正符号生成部を設定し、
前記第２伝送装置は、前記主信号に含まれる誤り訂正符号に基づいて、前記主信号のデータの誤り訂正を行う誤り訂正部を、さらに有し、前記符号種別情報に従って前記誤り訂正部を設定することを特徴とする付記１１または１２に記載の伝送方法。
【符号の説明】
【０１０９】
１                    送信部
２                    受信部
３                    制御部
８                    ＲＯＡＤＭ装置
９                    端局装置（伝送装置）
１０                  フレーム生成部
１１                  ＦＥＣ生成部（誤り訂正符号生成部）
２０                  フレーム処理部
２１                  誤り訂正部
２５                  検波器
２６                  波長可変局部発振光源（光源）
２４０                パワー検出部
【図１】
2015002474.tif 000003
【図２】
2015002474.tif 000004
【図３】
2015002474.tif 000005
【図４】
2015002474.tif 000006
【図５】
2015002474.tif 000007
【図６】
2015002474.tif 000008
【図７】
2015002474.tif 000009
【図８】
2015002474.tif 000010
【図９】
2015002474.tif 000011
【図１０】
2015002474.tif 000012